(57)【特許請求の範囲】
【請求項１】
内槽底部に第１定位構造が設けられ、外槽底部に第２定位構造が設けられ、前記第２定位構造が伸縮可能な構造であり、前記第１定位構造および前記第２定位構造が凹凸嵌合すると、内槽がロックされ、前記第１定位構造および前記第２定位構造が離れると、内槽のロックが解除され、
前記ロック機構が、前記外槽底部に設けられた取付孔と嵌合される固定ハウジングをさらに含み、前記固定ハウジング内にロック軸が設置されており、
前記取付孔と前記固定ハウジングとの間に密封構造が設置され、
前記固定ハウジングと前記ロック軸との間に密封スリーブが設置され、
前記密封スリーブは、前記ロック軸の伸縮に伴って伸縮可能な構造であり、
前記密封スリーブの第１端は前記固定ハウジングと密封接続され、前記密封スリーブの第２端は前記ロック軸と密封接続されることを特徴とする、洗濯機内槽のロック機構。
【請求項２】
前記内槽底部にロック孔が設けられ、前記外槽底部に少なくとも伸縮可能なロック軸が設置され、前記ロック軸がロック孔に挿入されると、内槽がロックされ、前記ロック軸がロック孔から抜けると、内槽のロックが解除されることを特徴とする、請求項１に記載の洗濯機内槽のロック機構。
【請求項３】
前記ロック機構がロック軸の固定台をさらに含み、前記固定台が環状構造であり、外槽底部の外側面に固定され、前記固定台の中心に摺動部が設けられ、前記ロック軸が前記摺動部内に設置されることを特徴とする、請求項２に記載の洗濯機内槽のロック機構。
【請求項４】
前記密封スリーブの第１端は固定ハウジングの上端と密封接続され、密封スリーブの第２端部分が軸方向に沿って第３端を延伸し、前記第３端が固定ハウジングの下端と密封接続され、前記延伸した部分がロック軸の伸縮に伴って伸縮することができる密封スリーブであることを特徴とする、請求項１に記載の洗濯機内槽のロック機構。
【請求項５】
前記ロック軸の上部に凸台が設けられ、前記密封スリーブの第２端が該凸台と接続されることを特徴とする、請求項１〜４のいずれか１項に記載の洗濯機内槽のロック機構。
【請求項６】
ロック軸の摺動部の外部にスプリングが被装され、スプリングがロック軸の凸台と固定台との間に位置し、スプリングの一端が凸台と接触し、もう一端が固定台と接触し、ロック軸が下に運動するとき、スプリングが圧縮されることを特徴とする、請求項２〜５のいずれか１項に記載の洗濯機内槽のロック機構。
【請求項７】
前記ロック軸の下端がリニア往復モータと接続されるか、または前記ロック軸の下端が連接棒構造を介してロータリーモータと接続され、前記モータがハウジング内に取り付けられ、前記ハウジングに取付部が設けられ、取付部は外槽底部に固定されることを特徴とする、請求項２〜６のいずれか１項に記載の洗濯機内槽のロック機構。
【請求項８】
前記ロック軸が最低位置まで伸縮したとき、ロック軸の頂端は外槽底部の内表面より低いかまたは等しいことを特徴とする、請求項２〜７のいずれか１項に記載の洗濯機内槽のロック機構。
【請求項９】
前記ロック孔が止まり孔であり、内槽フランジに設置され、内槽フランジにおけるロック孔の周方向の両側に、それぞれガイドレールを形成する滑らかな溝を有するか、または前記ガイドレールが単独の構造であり、ガイドレールに滑らかな溝を有し、ロック孔が該溝の中部に位置することを特徴とする、請求項２〜８のいずれか１項に記載の洗濯機内槽のロック機構。
【請求項１０】
前記摺動部の内壁に、円周方向に沿って、複数の軸方向の突起が均等に分布し、突起の頂部がロック軸の外表面と接触することを特徴とする、請求項２〜９のいずれか１項に記載の洗濯機内槽のロック機構。
【請求項１１】
請求項１〜１０のいずれか１項に記載のロック機構を有する洗濯機。
【発明の詳細な説明】
【技術分野】
【０００１】
本発明は洗濯機の分野に関し、特に洗濯機内槽のロック機構および洗濯機である。
【背景技術】
【０００２】
既存のパルセータ式洗濯機は内槽に透水孔を有し、内外槽間は通じる。内槽は洗濯槽、外槽は水槽であり、内槽および外槽の側壁間に充満するこの部分の水は、洗濯に関与しない。洗濯に関与するのは内槽中の水のみであり、これにより水資源の浪費が比較的多くなる。他に、内外槽間の水が過度に多いと、洗濯液中の洗剤／粉末洗剤の濃度が低下する。これと同時に、水流は内槽、外槽の間で頻繁に出入りするため、使用し続けると、内槽および外槽の側壁間の領域は、汚れが隠れた空間になる。水道水の水垢、粉末洗剤の遊離物、衣類のセルロース、人体の有機物、衣類がもたらす埃および細菌は、内槽および外槽の側壁間に極めて容易に溜まる。これらのカビは、長く使用している洗濯機内部に蓄積した大量の汚れであり、効果的に除去することができないために繁殖したものである。ユーザから見えないこれらの汚れを洗浄しない場合、次回の洗濯で細菌が衣類に付着し、人体に交差感染する問題が引き起こされる。
【０００３】
中国特許第２００４２０１０７８９０．８号明細書は全自動洗濯機に関し、主に筐体、洗濯脱水槽、水槽および駆動装置を含む。水槽は洗濯脱水槽の外側に取り付けられて、筐体と固定接続され、水槽の内壁底面と洗濯脱水槽の外壁底面との間に密封装置が設けられ、密封装置内で密封空洞が形成される。洗濯脱水槽の外側壁は貫通孔が無く、底部に密封空洞と通じる排水孔が設けられる。水槽に排水管とつながる第１排水孔が設けられ、排水管に排水バルブが設けられる。水槽は、吊棒で筐体と固定接続される。吊棒の一端は筐体の上端の内壁と接続され、もう一端は水槽の外壁と接続される。しかし長時間運転すると、密封構造が長時間の運転で摩耗するため、容易に摩耗による漏水が引き起こされる。水質が比較的悪く、砂の含有量が比較的高い場合、使用寿命は大幅に短くなり、あるべき機能を示すことができなくなる。洗濯容量が多い状態での使用にも適応せず、信頼性が比較的劣る。
【０００４】
このことを考慮して、本発明を示す。
【先行技術文献】
【特許文献】
【０００５】
【特許文献１】中国特許第２００４２０１０７８９０．８号明細書
【発明の概要】
【発明が解決しようとする課題】
【０００６】
本発明の目的は既存技術の不足を克服することであり、洗濯機内槽のロック機構を提供し、内槽を定位し、ロックする。
【０００７】
本発明のもう１つの目的は既存技術の不足を克服することであり、上記ロック機構を有する洗濯機を提供する。洗濯時、内外槽間に水は存在しない。
【課題を解決するための手段】
【０００８】
該目的を実現するため、本発明は以下の技術案を採用する。洗濯機内槽のロック機構は、内槽底部に第１定位構造が設けられ、外槽底部に第２定位構造が設けられ、前記第２定位構造は伸縮可能な構造である。前記第１定位構造および前記第２定位構造が凹凸嵌合すると、内槽はロックされ、前記第１定位構造および前記第２定位構造が離れると、内槽のロックは解除される。
【０００９】
前記内槽底部にロック孔が設けられ、前記外槽底部に少なくとも伸縮可能なロック軸が設置される。前記ロック軸がロック孔に挿入されると、内槽はロックされ、前記ロック軸がロック孔から抜けると、内槽のロックは解除される。
【００１０】
前記ロック機構はロック軸の固定台をさらに含み、前記固定台は環状構造であり、外槽底部の外側面に固定される。前記固定台の中心に摺動部が設けられ、前記ロック軸は前記摺動部内に設置される。
【００１１】
前記外槽底部にロック機構の取付孔が設けられ、前記ロック軸と前記取付孔との間に、伸縮可能な密封構造が設けられる。好ましくは、前記密封構造は環状のシールリングであり、環状のシールリングの内円はロック軸と接続され、外円は取付孔と接続される。さらに好ましくは、前記環状のシールリングは径方向に沿って波状の屈曲を有する。
【００１２】
前記ロック機構は固定ハウジングをさらに含み、前記固定ハウジングは取付孔と嵌合し、ロック軸は固定ハウジング内に設置される。前記取付孔と前記固定ハウジングとの間に密封構造が設置され、前記固定ハウジングと前記ロック軸との間に密封構造が設置される。
【００１３】
前記取付孔と前記固定ハウジングとの間にシールリングが設置され、前記固定ハウジングと前記ロック軸との間の密封構造は、ロック軸の伸縮に伴って伸縮することができる密封スリーブである。密封スリーブの第１端は固定ハウジングと密封接続され、第２端はロック軸と密封接続される。好ましくは、密封構造はジャバラ管の形状である。
【００１４】
前記密封スリーブの第１端は固定ハウジングの上端と密封接続され、密封スリーブの第２端部分は軸方向に沿って第３端を延伸し、前記第３端は固定ハウジングの下端と密封接続される。前記延伸した部分は、ロック軸の伸縮に伴って伸縮することができる密封スリーブであり、好ましくはジャバラ管の形状である。
【００１５】
前記ロック軸の上部に凸台が設けられ、前記密封スリーブの第２端または前記環状のシールリングの内円は該凸台と接続される。
【００１６】
ロック軸の摺動部の外部にスプリングが被装され、スプリングはロック軸の凸台と固定台との間に位置する。スプリングの一端は凸台と接触し、もう一端は固定台と接触する。ロック軸が下に運動するとき、スプリングは圧縮される。
【００１７】
前記ロック軸の下端はリニア往復モータと接続されるか、または前記ロック軸の下端は連接棒構造を介してロータリーモータと接続される。前記モータはハウジング内に取り付けられ、前記ハウジングに取付部が設けられ、取付部は外槽底部に固定される。
【００１８】
前記ロック軸が最低位置まで伸縮したとき、ロック軸の頂端は外槽底部の内表面より低いかまたは等しい。好ましくは、前記ロック軸が最低位置まで伸縮したとき、ロック軸の頂端は外槽底部の内表面と等しい。
【００１９】
前記ロック孔は止まり孔であり、内槽フランジに設置される。内槽フランジにおけるロック孔の周方向の両側に、それぞれガイドレールを形成する滑らかな溝を有する。または前記ガイドレールは単独の構造であり、ガイドレールに滑らかな溝を有し、ロック孔は該溝の中部に位置する。
【００２０】
前記摺動部の内壁に、円周方向に沿って、複数の軸方向の突起が均等に分布し、突起の頂部はロック軸の外表面と接触する。
【００２１】
上記ロック機構を有する洗濯機である。
【発明の効果】
【００２２】
本発明の前記技術案を採用すると、以下の有益な効果がもたらされる。
１、本発明は内外槽間に洗濯水が存在せず、水を節約する特徴を有する。排水および／または脱水過程において、排水孔が開き、大部分の水および泥、砂、顆粒などの沈殿物は、下部の排水孔から外槽中に排出される。衣類中の水は内槽の高速回転による脱水時に、内槽上部の排水孔から外槽中に排出され、外槽底の排水口、排水管から洗濯機外に直接排出される。迅速な排水を実現し、排水、汚れの排出効果は良好である。
【００２３】
２、本発明の前記ロック機構は、内槽を定位してからロックし、排水構造が第１排水孔を閉じる。洗濯機の取水および洗濯時、内槽が回転し、排水構造が作用しなくなるのを効果的に防止することもできる。
【００２４】
３、本発明の前記ロック機構は密封性が良好であり、外槽の漏水を防止し、構造は簡単で、制御は便利である。さらに動作が信頼でき、安全性が高い。
【００２５】
以下、図を組み合わせて、本発明の具体的な実施方式について、さらに詳細に記載する。
【図面の簡単な説明】
【００２６】
【図１】図１は、本発明のロック機構の取付構造図である。
【図２】図２は、本発明のロック機構における取付構造の分解図である。
【図３】図３は、本発明のロック機構の分解図である。
【図４】図４は、図１のＢ部分の拡大図である。
【図５】図５は、本発明のロック機構の断面分解図である。
【図６】図６は、図１のＡ部分の拡大図である。
【図７】図７は、ロック軸および摺動部の組立関係の概要図である。
【発明を実施するための形態】
【００２７】
図１、図２に示すように、本発明の前記節水型洗濯機は内槽１００、外槽２００を含み、内槽体１０１に外槽と通じる孔は無い。内槽底部に第１排水孔１０５が設けられ、内槽１００上部に第２排水孔１０６が１周に設けられる。洗濯時、第１排水孔１０５は閉じ、内槽１００中にのみ水が存在し、内槽１００と外槽２００との間に水は存在しない。洗濯終了後、第１排水孔１０５が開き、大部分の水は第１排水孔１０５から排出される。脱水時、内槽１００が回転し、衣類中から出た水が遠心力の作用により、槽壁に沿って上昇し、内槽上部の第２排水孔１０６により内槽から内外槽間に排出され、さらに外槽２００の外槽排水孔２０３から排出される。このように、洗濯時、洗濯水は内槽１００中にしか存在せず、内外槽間に洗濯水は存在せず、水を節約する特徴を有する。排水および／または脱水過程において、第１排水孔１０５が開き、大部分の水および泥、砂、顆粒などの沈殿物が、下部の第１排水孔１０５から外槽中に排出される。衣類中の水は内槽の高速回転による脱水時に、内槽上部の第２排水孔１０６から外槽中に排出され、外槽底の排水口、排水管から洗濯機外に直接排出される。迅速な排水を実現し、排水、汚れの排出効果は良好である。
【００２８】
本発明は、第１排水孔１０５の底部に、第１排水孔１０５の開／閉を制御する排水構造４００が設置される。取水、洗濯時、排水構造は第１排水孔１０５を閉じるように制御し、排水、脱水時、排水構造４００は第１排水孔１０５を開くように制御する。さらに内槽１００底部にロック機構３００が追加される。排水構造４００は外槽２００に設置されて、周方向に固定され、第１排水孔１０５は内槽１００に設置される。脱水時、内槽が回転するため、排水構造４００が第１排水孔１０５を閉じる必要があるとき、両者の位置は必ずしも同じ位置とは限らない。前記ロック機構３００は、内槽を第１排水孔１０５および排水構造４００の位置が対応するように定位してから、内槽１００をロックし、排水構造４００が第１排水孔１０５を閉じる。ロック機構３００は、洗濯機の取水および洗濯時、内槽１００が回転し、第１排水孔１０５の開／閉を制御する内槽底部の排水構造４００が作用しなくなるのを効果的に防止することもできる。
【００２９】
内槽底部に第１定位構造が設けられ、外槽底部に第２定位構造が設けられ、前記第２定位構造は伸縮可能な構造である。前記第１定位構造および前記第２定位構造が凹凸嵌合すると、内槽はロックされ、前記第１定位構造および前記第２定位構造が離れると、内槽のロックは解除される。
【００３０】
図３、図４、図５に示すように、本発明の洗濯機内槽のロック機構３００において、内槽１００底部に内槽と通じないロック孔３０１が設けられ、前記ロック機構３００は外槽底部に取り付けられる。ロック機構３００は少なくとも伸縮可能なロック軸３０２を含み、前記ロック軸３０２は円周方向に固定される。洗濯、すすぎ時、前記ロック軸３０２は上に運動してロック孔３０１に挿入される。内槽１００はロックされ、回転することができず、排水構造４００が作用しなくなるのを防止する。脱水時、前記ロック軸３０２は下に運動してロック孔３０１から離れる。内槽は周方向に回転することができ、内部の衣類の脱水を行う。内槽１００底部を密封する必要があるとき、ロック軸３０１は上に運動してロック孔３０１に挿入される。内槽１００は固定され、排水構造４００は第１排水孔１０５を閉じる。内槽１００が回転する必要があるとき、ロック軸３０２は下に運動してロック孔３０１から離れ、内槽は周方向に回転することができる。ロック軸３０２は外槽２００の内底面と同じ高さまで下に運動し、内槽１００の回転に影響を及ぼさない。
【００３１】
前記外槽底部にロック機構の取付孔が設けられ、前記ロック軸と前記取付孔との間に伸縮可能な密封構造が設けられる。好ましくは、前記密封構造は環状のシールリングであり、環状のシールリングの内円はロック軸と接続され、外円は取付孔と接続される。さらに好ましくは、前記環状のシールリングは、径方向に沿って波状の屈曲を有する。
【００３２】
ロック機構３００は外槽２００底部に設置され、ロック孔の位置と対応する。前記ロック機構３００はロック軸３０２の固定台３０３をさらに含み、前記固定台３０３は環状構造であり、外槽２００底部の外側面に固定される。前記固定台３０３の中心に、ロック軸３０２の摺動部３０４が設けられる。固定台３０３はボルトまたはネジなどのネジ接続により、外槽２００底部の外側に固定され、固定台３０３の中心にロック軸３０２の摺動部３０４が設けられる。ロック軸３０２は、摺動部３０４内で摺動することができ、内槽のロックおよびロック解除を制御する。
【００３３】
図７に示すように、前記摺動部３０４の内径は前記ロック軸３０２の外径よりやや大きい。隙間が過度に小さくなければ、ロック軸３０２が摺動部３０４内で自由に摺動することができることを保証し、隙間が過度に大きくなければ、ロック軸３０２の運動方向のずれが過度に大きくならないことを保証する。前記摺動部３０４の内壁に、円周方向に沿って複数の軸方向の突起３２６が均等に分布し、突起３２６の頂部はロック軸３０２の表面と接触する。このように複数の突起３２６はロック軸３０２に対してガイド作用を示し、ロック軸がロック孔と正確に合うことを保証する。揺れを減少させ、さらに接触面積を減少させて、摩擦を減少させ、ロック軸３０２を摺動部３０４内で自由に摺動させる。
【００３４】
外槽２００底部に筒状の第１取付孔２０１が設けられ、前記ロック機構３００は固定ハウジング３０５をさらに含む。前記固定ハウジング３０５は筒状であり、第１取付孔２０１の内部に設置されて第１取付孔２０１と嵌合し、ロック軸３０２は固定ハウジング３０５内に設置される。前記第１取付孔２０１と前記固定ハウジング３０５との間に密封構造が設置され、前記固定ハウジング３０５と前記ロック軸３０２との間に密封構造が設置される。前記密封構造は、第１取付孔２０１部分が漏水しないことを保証することができる。
【００３５】
好ましくは、前記第１取付孔２０１の上端は内側に折れ曲がって屈曲を形成し、固定ハウジングの下端は外側に折れ曲がって屈曲を形成する。固定ハウジング３０５が第１取付孔２０１内に挿入されると、固定ハウジング３０５の上端は第１取付孔２０１の上端の屈曲に達し、両者の間に密封構造、例えば弾性のシールリングが設置される。第１取付孔２０１の下端は固定ハウジングの下端の屈曲に達し、両者の間に密封構造、例えば弾性のシールリングが設置される。
【００３６】
第１取付孔２０１と前記固定ハウジング３０５との間の密封構造は、第１取付孔２０１と前記固定ハウジング３０５との間に設置されるＯリングである。前記固定ハウジング３０５と前記ロック軸３０２との間の密封構造は、ロック軸の伸縮に伴って伸縮することができる密封スリーブ３０７である。密封スリーブ３０７の第１端３０８は固定ハウジング３０５と密封接続され、第２端３０９はロック軸３０２と密封接続される。好ましくは、前記密封スリーブ３０７の第１端は、固定ハウジング３０５の上端と第１取付孔２０１上端の屈曲との間に設置される。密封スリーブは弾性を有し、密封を形成し、密封スリーブの第２端はロック軸３０２と密封接続される。このように外槽中の水は固定ハウジング中に進入することはなく、ロック機構３００は破壊されず、漏水も生じない。好ましくは、密封構造はジャバラ管の形状の密封スリーブ３０７であり、一定の伸縮性を有する。本体は水を通すことができず、密封を実現することもできる。前記密封スリーブは、弾性材料で製造した密封スリーブであり、例えばゴムスリーブである。
【００３７】
密封スリーブ３０７の第１端３０８は固定ハウジング３０５の上端と密封接続され、密封スリーブ３０７の第２端３０９部分は軸方向に沿って第３端３１０を延伸する。前記第３端３１０は固定ハウジング３０５の下端と密封接続され、前記延伸した部分はロック軸の伸縮に伴って伸縮することができる密封スリーブであり、好ましくはジャバラ管の形状である。前記延伸した密封スリーブは二次的な密封作用を追加しており、たとえ上面の密封に問題が生じても、延伸した密封スリーブはさらなる密封作用を示すことができ、安全性を高め、漏水を防止する。
【００３８】
好ましくは、前記固定ハウジング３０５の下端は固定台と接続され、固定台はさらに外槽と接続される。前記密封スリーブの第３端３１０は、固定ハウジング３０５の下端と固定台との間に位置し、固定ハウジング３０５の下端および固定台が第３端３１０を押し出し、密封を形成する。
【００３９】
ロック軸３０２の上部に凸台３２０が設けられ、前記密封スリーブの第２端３０９は該凸台と接続される。前記第２端３０９の内径は、ロック軸３０２の外径よりやや大きく、第２端３０９の側面は凸台３２０と密着する。さらに締付ナット３２７により両者を固定すると、凸台３２０および締付ナット３２７は第２端３０９を押し出し、密封を形成する。
【００４０】
ロック軸３０２の摺動部３０４の外部にスプリング３２１が被装され、スプリング３２１はロック軸３０２の凸台３２０と固定台３０３との間に位置する。スプリング３２１の一端は凸台３２０と接触し、もう一端は固定台３０３と接触する。ロック軸３０２が下に運動するとき、凸台３２０はスプリング３２１を圧縮し、下に運動してスプリング３２１が圧縮される。スプリング３２１の復帰力は、ロック軸３０２を上に運動させることもできる。
【００４１】
ロック軸３０２の下端はリニア往復モータと接続され、リニア往復モータの運動によりロック軸３０２を伸縮させるか、またはリニア往復モータの運動によりロック軸３０２を下に運動させ、スプリング３２１の復帰力によりロック軸３２１を上に運動させるか、または前記ロック軸３０２の下端は連結棒３２２と接続され、前記連結棒３２２はカム３２３と接続され、前記カム３２３はロータリーモータ３２４と接続される。前記リニア往復モータまたはロータリーモータはハウジング３２８内に取り付けられ、モータを保護し、水がモータまで飛び散り、漏電、発火などが引き起こされるのを防止する。前記ハウジング３２８に取付部３２９が設けられ、取付部３２９は外槽２００底部に固定される。前記取付部３２９は固定台３０３および固定ハウジング３０５の下部と共に、ネジまたはボルトなどのネジ接続により、外槽２００底部に固定することができる。
【００４２】
ロック軸３０２が最低位置まで伸縮したとき、ロック軸３０２の頂端は外槽底部の内表面より低いかまたは等しい。好ましくは、前記ロック軸が最低位置まで伸縮したとき、ロック軸の頂端は外槽底部の内表面と等しく、内槽１００が回転するとき、ロック軸３０２が内槽１００と干渉し、ロック軸３０２または内槽１００が破壊されるのを防止することができる。
【００４３】
ロック孔３０１が内槽フランジ１０３に設置され、内槽フランジ１０３におけるロック孔３０１の周方向の両側に、それぞれガイドレール３２５を形成する滑らかな溝を有する。または前記ガイドレール３２５は単独の構造であり、ガイドレール３２５に滑らかな溝を有し、ロック孔３１０は該溝の中部に位置する。内槽１００の回転速度が、設定したある回転速度より低いとき、ロック軸３０２を上に運動させ、ガイドレール３２５に達するように制御する。スプリング３２１の作用によっても、ロック軸３０２は上に運動する傾向を有する。内槽が回転し、ガイドレール３２５はロック軸３０２と摩擦し、ロック孔３０１がロック軸３０２の位置まで運動してロック軸３０２と対応するとき、ロック軸が上に運動して、ロック孔３０１内に挿入され、内槽１００の定位、ロックを実現する。
【００４４】
図６に示すように、本発明の前記節水型無孔洗濯内槽の排水制御構造４００は、内槽１００底部に第１排水孔１０５が設けられ、前記外槽２００底部の第１排水孔１０５と対応する位置に、排水制御構造４００が取り付けられる。前記排水制御構造４００は少なくとも伸縮可能なバルブプラグを含み、前記バルブプラグは円周方向に固定される。前記バルブプラグが上に運動して第１排水孔１０５を覆うとき、第１排水孔１０５を閉じるように制御する。前記バルブプラグが下に運動して、第１排水孔１０５から抜けるとき、第１排水孔１０５を開くように制御する。
【００４５】
外槽２００底部にバルブプラグの第２取付孔２０４が設けられ、第２取付孔２０４は筒状である。前記バルブプラグは伸縮可能なバルブ軸４０１と、バルブ軸に伴って伸縮することができる密封スリーブ４０２とを含む。前記バルブ軸４０１頂部に排水孔を塞ぐことができる遮断片４０３が設けられ、好ましくは、バルブ軸４０１はＴ型構造である。
【００４６】
密封スリーブ４０２の第１端４０４は閉鎖構造であり、バルブ軸４０１の頂部に被装され、密封スリーブ４０２の第２端４０５は第２取付孔２０４と密封接続される。好ましくは、前記密封スリーブ４０３はジャバラ管状である。バルブ軸４０１が密封スリーブ４０２を上に運動させ、第１排水孔１０５に達すると、遮断片４０３は密封スリーブ４０２の第１端を第１排水孔１０５と緊密に密着するまで押し出し、第１排水孔１０５を閉じる。好ましくは、遮断片４０３の上表面は上に突起した球面構造であり、密封効果はより良好である。前記密封スリーブは、弾性材料で製造された密封スリーブであり、例えばゴムスリーブである。
【００４７】
排水制御構造４００は固定台４０７をさらに含み、前記固定台４０７は外槽２００底部の外側面に固定される。前記固定台４０７の中心が上および／または下に折れ曲がり、バルブ軸４０１の摺動部４０８を形成する。固定台４０７はボルトまたはネジなどのネジ接続により、外槽２００底部の外側に固定され、固定台４０７の中心にバルブ軸４０１の摺動部４０８が設けられる。バルブ軸４０１は摺動部４０８内で摺動することができ、内槽の第１排水孔１０５の開成および閉成を制御する。
【００４８】
前記摺動部４０８は筒状であり、内径は前記バルブ軸４０１の外径よりやや大きい。間隙が過度に小さくなければ、バルブ軸４０１が摺動部４０８内で自由に摺動することができることを保証し、間隙が過度に大きくなければ、バルブ軸４０１の運動方向のずれが過度に大きくならないことを保証する。前記摺動部４０８の内壁に、円周方向に沿って複数の軸方向の突起４１９が均等に分布し、突起４１９の頂部はバルブ軸４０１の表面と接触する。このように複数の突起４１９はバルブ軸４０１に対してガイド作用を示し、バルブ軸が第１排水孔と正確に合うことを保証する。揺れを防止し、さらに接触面積を減少させて、摩擦を減少させ、バルブ軸４０１を摺動部４０８内で自由に摺動させる。
【００４９】
排水制御構造４００は、固定ハウジング４０９をさらに含む。前記固定ハウジング４０９は筒状であり、第２取付孔２０４の内部に設置され、第２取付孔２０４と嵌合し、バルブプラグは固定ハウジング４０９の中部に設置される。前記密封スリーブ４０２の第２端４０５は、固定ハウジング４０９の下端または第２取付孔２０４の下端と密封接続される。前記固定ハウジング４０９は外槽２００底部に直接固定されるか、または前記固定ハウジング４０９は固定台４０７を介して外槽２００底部に固定される。
【００５０】
好ましくは、前記第２取付孔２０４の上端が内側に折れ曲がって屈曲を形成し、固定ハウジング４０９の下端が外側に折れ曲がって屈曲を形成する。固定ハウジング４０９が第２取付孔２０４内に挿入されると、固定ハウジング４０９の上端は第２取付孔２０４上端の屈曲に達し、第２取付孔２０４の下端は固定ハウジング４０９下端の屈曲に達する。密封スリーブ４０２の第２端４０５は、第２取付孔２０４の下端と固定ハウジング４０９下端の屈曲との間で押し出され、密封を形成し、該部分の漏水を防止する。
【００５１】
密封スリーブ４０２の第１端４０４の外縁部が外側に延伸して突縁４１０を形成し、前記突縁４１０の直径は前記固定ハウジング４０９の直径より大きい。前記バルブプラグが下に運動して排水孔が開いた後、前記突縁４１０は前記固定ハウジング４０９または第２取付孔２０４の上端に重なる。前記バルブプラグが下に運動して第１排水孔１０５から離れると、内槽１００内の水はすぐに下に流出する。水流はバルブプラグ上端の第１端４０４および突縁４１０に達した後、突縁４１０の誘導により、バルブプラグの外周に拡散し、水流が直接固定ハウジング内に流れて排水制御構造に衝撃を与えるのを防止する。前記バルブプラグが最低位置に位置するとき、前記突縁４１０は前記固定ハウジング４０９または第２取付孔２０４の上端に重なり、水流中の糸屑などの異物が固定ハウジング内に進入し、バルブプラグの伸縮を妨げるのを阻止することができる。
【００５２】
固定ハウジング４０９の下部に水抜き口４１１が設置され、水抜き口４１１に排水管４１２が設置され、排水管４１２は洗濯機の排水管路に接続される。密封スリーブ４０２はバルブ軸４０１に被装され、密封スリーブ４０２の第２端４０５は固定ハウジング４０９と密封される。水流は突縁４１０により、固定ハウジング４０９と密封スリーブ４０２との間の空間に少しも進入しないように完全に遮断することはできない。水抜き口４１１を設置し、上記空間に進入する水を該水抜き口４１１から洗濯機の排水管路に排出することができ、これにより洗濯機から排出する。
【００５３】
好ましくは、密封スリーブ４０２の第１端４０４の外縁部が外側に第３端４０６を延伸し、前記第３端４０６は固定ハウジング４０９または第２取付孔２０４の上端と密封接続される。前記延伸した部分はバルブ軸の伸縮に伴って伸縮することができる密封スリーブであり、好ましくはジャバラ管の形状の密封スリーブである。延伸した第３端４０６と第１端４０４との間の密封スリーブは、固定ハウジング４０９と密封スリーブ４０２との間の空間を密封することができ、水流が固定ハウジング４０９と密封スリーブ４０２との間の空間に流入するのを防止する。このような状況下、第２端４０５と第１端４０４との間の密封スリーブは省くことができるが、安全のため、または第３端４０６と第１端４０４との間の密封スリーブの密封が作用しなくなるのを防止するため、やはり第２端４０５と第１端４０４との間の密封スリーブを設置するのが最も好ましい。このような状況下で、固定ハウジング４０９と密封スリーブ４０２との間の空間は密封されるため、固定ハウジング４０９の下部に水抜き口４１１を設置する必要はない。
【００５４】
バルブ軸４０１の摺動部４０８の外部にスプリング４１３が被装され、スプリング４１３はバルブ軸４０１の遮断片４０３と固定台４０７との間に位置する。スプリング４１３の一端は遮断片４０３と接触し、もう一端は固定台４０７と接触する。バルブ軸が下に運動するとき、遮断片４０３はスプリングの上端を圧縮して下に運動させ、スプリング４１３は圧縮される。スプリング３２１の復帰力は、バルブ軸４０１を上に運動させることもできる。さらにスプリングの圧縮量を設定し、排水制御構造４００が第１排水孔１０５に達するとき、バルブ軸４０１に上方向の力を提供することもできる。
【００５５】
バルブ軸４０１の下端はリニア往復モータと接続され、リニア往復モータの運動によりバルブ軸４０１を伸縮させるか、またはリニア往復モータの運動によりバルブ軸４０１を下に運動させ、スプリング４１３の復帰力によりバルブ軸４０１を上に運動させるか、または前記バルブ軸４０１の下端は連接棒４１４と接続され、前記連接棒４１４はカム４１５と接続され、前記カム４１５はロータリーモータ４１６と接続される。前記リニア往復モータまたはロータリーモータはハウジング４１７内に取り付けられ、モータを保護し、水がモータに飛び散って漏電、出火などが引き起こされるのを防止する。前記ハウジング４１７に取付部４１８が設けられ、取付部４１８は外槽底部に固定される。または前記ハウジング４１７は前記摺動部４０８と一体に設置される。すなわち、摺動部４０８の下端が外側に折れ曲がってから下側に折れ曲がり、ハウジング４１７を形成する。
【００５６】
以上の記載は、本発明の好ましい実施方式に過ぎない。当業者は本発明の原理を逸脱しない前提の下、数種の変形および改良を行うこともできるが、これらも本発明の保護範囲と見なすべきであると指摘しなければならない。
【符号の説明】
【００５７】
１００  内槽
１０１  内槽体
１０２  内槽底
１０３  内槽フランジ
１０４  バランスリング
１０５  第１排水孔
１０６  第２排水孔
２００  外槽
２０１  第１取付孔
２０２  外槽底
２０３  外槽排水孔
２０４  第２取付孔
３００  ロック機構
３０１  ロック孔
３０２  ロック軸
３０３  固定台
３０４  摺動部
３０５  固定ハウジング
３０６  シールリング
３０７  密封スリーブ
３０８  第１端
３０９  第２端
３１０  第３端
３２０  凸台
３２１  スプリング
３２２  連接棒
３２３  カム
３２４  ロータリーモータ
３２５  ガイドレール
３２６  突起
３２７  ナット
３２８  ハウジング
３２９  取付部
４００  排水構造
４０１  バルブ軸
４０２  密封スリーブ
４０３  遮断片
４０４  第１端
４０５  第２端
４０６  第３端
４０７  固定台
４０８  摺動部
４０９  固定ハウジング
４１０  突縁
４１１  水抜き口
４１２  排水管
４１３  スプリング
４１４  連接棒
４１５  カム
４１６  ロータリーモータ
４１７  ハウジング
４１８  取付部
４１９  突起
４２０  締付ボルト
【図１】
0006587162.tif 000002
【図２】
0006587162.tif 000003
【図３】
0006587162.tif 000004
【図４】
0006587162.tif 000005
【図５】
0006587162.tif 000006
【図６】
0006587162.tif 000007
【図７】
0006587162.tif 000008